(57)【要約】    【課題】半永久的に固定することのできる標識保持・提示具及びそれを取り付けた物品を提供する。    【解決手段】標識（１）を収納する透明ケース（５）と、前記透明ケース（５）を収納する物品の収納空間（２３）と、前記透明ケース（５）の上端から前記収納空間（２３）を越えて突出すると共に、前記収納空間（２３）への没入を阻止するストッパー（６１）を有する少なくとも１本の紐（６）と、前記収納空間（２３）下端部に設けた切り欠き（２５）を有する。前記透明ケース（５）は前記収納空間（２３）内をスライド可能である。前記切り欠きから前記透明ケース（５）を摘んでおろすことができると共に、前記紐をつまみ上げることにより前記透明ケース（５）を引き上げることができる。【選択図】図２
2008284205.tif 000002
【特許請求の範囲】
【請求項１】
標識（１）を収納する透明ケース（５）と、
前記透明ケース（５）を収納する物品の収納空間（２３）と、
前記透明ケース（５）の上端から前記収納空間（２３）を越えて突出すると共に、前記収納空間（２３）への没入を阻止するストッパー（６１）を有する少なくとも１本の紐（６）と、
前記収納空間（２３）下端部に設けた切り欠き（２５）を有する標識の保持・提示具（３）において、
前記透明ケース（５）は前記収納空間（２３）内をスライド可能であり、
前記切り欠きから前記透明ケース（５）を摘んでおろすことができると共に、前記紐をつまみ上げることにより前記透明ケース（５）を引き上げることができる
ことを特徴とする標識の保持・提示具（３）。
【請求項２】
前記収納空間（２３）がポケット（２）を利用して形成されている請求項１記載の標識の保持・提示具（３）。
【請求項３】
前記ポケット（２）が前垂れ（２１）を有するものである請求項２記載の標識の保持・提示具（３）。
【請求項４】
前記ポケット（２）が二重になった収納空間を有し、そのうちの１つを前記収納空間（２３）として使用する請求項２又は３記載の標識の保持・提示具（３）。
【請求項５】
前記ストッパーが前記紐（６）の握り部（６１）である請求項１ないし４のいずれかに記載の標識の保持・提示具（３）。
【請求項６】
請求項１ないし５の何れかに記載の標識の保持・提示具（３）を使用した物品（４）。
【発明の詳細な説明】
【技術分野】
【０００１】
本発明は、標識の保持・提示具及びそれを有する物品に関する。ここで、「標識」には、スキー場や遊園地等で使用する入場券・利用券、会社や役所で使用する勤務者や訪問者の身分証、交通機関で使用する定期券・乗車券、等が含まれる。「物品」には、衣服やカバンが含まれる。
【背景技術】
【０００２】
例えばスキー場や遊園地等の各種施設を利用する場合、入場券や施設内の設備利用券を入場時又は利用時に予め現金で購入し、購入した券を係員に提示するのが一般的である。これら入場券・利用券は、一般に、ホルダに収納されて利用者の腕に付けられるか、または、首から提げられるなどの方法により利用者に携帯されている。
【０００３】
下記特許文献１では、各種のカード類を収納して携帯できるとともに、必要に応じて所望のカードが前面に表示されるように確実に折り畳み、これをクリップ等で衣服に装着するようにしている。
【特許文献１】実用新案登録第３０８５９２３号
【発明の開示】
【発明が解決しようとする課題】
【０００４】
特許文献１の考案は、要するに、カード類を吊り下げクリップで吊り下げるもので、このクリップの上端部は安全ピンを介して衣服に取り付けられる。この方式では、クリップが外れてクリップごとカード類が紛失するおそれがある。また、クリップの保管が面倒で、必要なときに見つからないこともある。
【０００５】
本発明は、半永久的に固定することのできる標識保持・提示具及びそれを取り付けた物品を提供することを目的とする。
【課題を解決するための手段】
【０００６】
本発明の標識の保持・提示具は、標識を収納する透明ケースと、前記透明ケースを収納する物品の収納空間と、前記透明ケースの上端から前記収納空間を越えて突出すると共に、前記収納空間への没入を阻止するストッパーを有する少なくとも１本の紐と、前記収納空間下端部に設けた切り欠きを有するものにおいて、前記透明ケースは前記収納空間内をスライド可能であり、前記切り欠きから前記透明ケースを摘んでおろすことができると共に、前記紐をつまみ上げることにより前記透明ビニールケースを引き上げることができることを特徴とする。
【０００７】
本発明の物品は、上記標識の保持・提示具を有することを特徴とする。
【発明の効果】
【０００８】
本発明によれば、透明レースに収納した標識は、物品の収納空間内をスライド可能である。切り欠きから透明ケースを摘んでおろすことができると共に、紐をつまみ上げることにより前記透明ビニールケースを引き上げることができる。しかも、紐はストッパーを有し、収納空間への没入が阻止されている。
【０００９】
したがって、係員に提示する必要があるときだけ、標識を摘んでおろすことができ、それ以外のときには収納空間に収納することができる。
【００１０】
しかも従来技術と異なり、本発明の標識の保持・提示具は物品に固定されるので、紛失したり、必要なときに見あたらないというような事態が避けられる。
【発明を実施するための最良の形態】
【００１１】
物品、例えば衣服やカバンの収納空間は、ポケットを利用するが好ましい。ポケット以外でも物品に切り込みを入れて収納空間を作ることはできるが、既存のポケットを利用するのが一番便利である。
【００１２】
前記透明ケースの上端に取り付ける紐は通常１本でよい。１本の紐を輪にすれば、それが握り部となり、前記収納空間への没入を阻止するストッパーになるからである。ストッパーとしては、その他、前記収納空間へ没入できないほど太くした紐端部であってもよい。
【００１３】
ストッパーが収納空間へ没入するのを阻止するため、ポケットは前垂れを有するものを使用するのが好ましい。
【実施例１】
【００１４】
以下、本発明の１実施例を添付の図面に基づき説明する。ここでは、「標識」は遊園地の施設利用券１であり、衣服のポケット２を利用して収納されている。
【００１５】
図１及び図２は、本発明の利用券の保持・提示具３とそれを有する衣服４を着用した人物の正面図である。図１は、利用券１が収納されて外部から見えない状態、図２は外部から見える状態である。図３は図１の主要部拡大図、図４は図２の主要部拡大図である。図５（ａ）は図３の縦断面図、図５（ｂ）は図４の縦断面図である。
【００１６】
図３及び図５（ａ）に示すように、ポケット２は、前垂れ２１を備えていると共に、二重になった収納空間を有する。第１収納空間２２は手帳その他の収納という本来の役目を果たす場所である。第２収納空間２３は施設利用券１を保持・提示する場所である。第１収納空間２２と第２収納空間２３は仕切布２４により明確に区分されている。第２収納空間２３の下端部には、半月状の切り欠き２５があり、そこから中が見えている。
【００１７】
施設利用券１はビニールの透明ケース５に入れられてポケットの第２収納空間２３に収納される。透明ケース５の左右上端には紐６が取り付けられている。この紐６はポケットの前垂れにある貫通孔２６を通過して外部に突出し、ポケット上方で一体化している。紐６を握りやすくするため及び紐が型くずれしないように、紐には握り部６１が設けられている。
【００１８】
図３の状態から図４の状態にするには、ポケット第２収納空間２３の下端部の切り欠き２５から見える透明ケース５の下部を指で摘み、下へおろせばよい。透明ケース５はポケット第２収納空間２３を滑り降りて、施設利用券１が係員に見えるようになる。このとき、紐の握り部６１は前垂れの上に位置するので、透明ケースが第２収納空間をすり抜けて落下することはない。
【００１９】
係員が確認を終えたら、今度は握り部６１を持ち上げれば、図３の状態に戻る。
【００２０】
図３の状態では、施設利用券１を使用しないとき、図１に示すように、紐６が垂れ下がるほど外部に露出する。これは衣服の飾りになるものであって、このままにしておいてよいが、もし気になる人がいれば、前垂れ２１の内側に隠してしまうこともできる。
【００２１】
この実施例では、ポケット２を利用して利用券の保持・提示具３を取り付けたが、ポケット以外の場所（例えば袖やズボン）でも、衣服に切り込みを入れて収納空間を形成すれば、同じようにして利用できる。また図示しないが、カバンに対して取り付けることもできる。
【図面の簡単な説明】
【００２２】
【図１】本発明の利用券の保持・提示具とそれを有する衣服を着用した人物の正面図であり、利用券が収納されて外部から見えない状態である。
【図２】本発明の利用券の保持・提示具とそれを有する衣服を着用した人物の正面図であり、利用券が外部から見える状態である。
【図３】図１の主要部拡大図である。
【図４】図２の主要部拡大図である。
【図５】（ａ）は図３の縦断面図、（ｂ）は図４の縦断面図である。
【符号の説明】
【００２３】
１     標識（施設利用券）
２     ポケット
２２   収納空間
２３   収納空間
２４   仕切布
２６   貫通孔
２７    止めボタン
３     標識の保持・提示具
４     衣服
５     透明ケース
６     紐
６１   握り部
【図１】
2008284205.tif 000003
【図２】
2008284205.tif 000004
【図３】
2008284205.tif 000005
【図４】
2008284205.tif 000006
【図５】
2008284205.tif 000007
【手続補正書】
【提出日】平成19年5月22日(2007.5.22)
【手続補正１】
【補正対象書類名】明細書
【補正対象項目名】０００８
【補正方法】変更
【補正の内容】
【０００８】
本発明によれば、透明ケースに収納した標識は、物品の収納空間内をスライド可能である。切り欠きから透明ケースを摘んでおろすことができると共に、紐をつまみ上げることにより前記透明ビニールケースを引き上げることができる。しかも、紐はストッパーを有し、収納空間への没入が阻止されている。